(57)【要約】【課題】デジタル電話およびアナログ電話を含む端末グループに属する各端末を適切なタイミングで鳴動させる。【解決手段】ＩＰ−ＰＢＸ２は、記憶部２１と、デジタル鳴動開始部２２と、アナログ鳴動開始部２３とを有する。記憶部２１は、デジタル電話Ｄ１〜Ｄ３を呼び出すタイミングを各端末で個別に規定する第１の遅延時間と、アナログ電話Ａ１，Ａ２を呼び出すタイミングを各端末で個別に規定する第２の遅延時間とを記憶する。デジタル鳴動開始部２２は、第１の遅延時間に基づいて、デジタル電話Ｄ１〜Ｄ３を呼び出す第１の呼出信号を送信することによって、デジタル電話Ｄ１〜Ｄ３を鳴動させる。アナログ鳴動開始部２３は、第２の遅延時間に基づいて、アナログ電話Ａ１，Ａ２を呼び出す第２の呼出信号を送信することによって、アナログ電話Ａ１，Ａ２を鳴動させる。【選択図】図２
2012084989.tif 000002
【特許請求の範囲】
【請求項１】
デジタル電話およびアナログ電話を含む端末グループをデジタル通信網に接続する構内交換機において、
前記端末グループに対して予め設定すべき情報として、前記デジタル電話を呼び出すタイミングを規定する第１の遅延時間と、前記アナログ電話を呼び出すタイミングを規定する第２の遅延時間とを記憶する記憶部と、
前記デジタル通信網を介して外部からの発呼信号を受信した場合、当該発呼信号の受信タイミングを基準として、前記記憶部から読み出された前記第１の遅延時間だけ遅延させたタイミングで、前記デジタル電話を呼び出す第１の呼出信号を送信することによって、前記デジタル電話を鳴動させるデジタル鳴動開始部と、
前記第１の呼出信号を受信した前記デジタル電話から送信される応答信号を受信した場合、当該応答信号の受信タイミングを基準として、前記記憶部から読み出された前記第２の遅延時間だけ遅延させたタイミングで、前記アナログ電話を呼び出す第２の呼出信号を送信することによって、前記アナログ電話を鳴動させるアナログ鳴動開始部と
を有することを特徴とする構内交換機。
【請求項２】
デジタル電話およびアナログ電話を含む端末グループをデジタル通信網に接続する構内交換機において、
前記端末グループに対して予め設定すべき情報として、前記デジタル電話を呼び出すタイミングを規定する第１の遅延時間と、前記アナログ電話を呼び出すタイミングを規定するとともに、前記第１の遅延時間とは異なる第２の遅延時間とを記憶する記憶部と、
前記デジタル通信網を介して外部からの発呼信号を受信した場合、当該発呼信号の受信タイミングを基準として、前記記憶部から読み出された前記第１の遅延時間だけ遅延させたタイミングで、前記デジタル電話を呼び出す第１の呼出信号を送信することによって、前記デジタル電話を鳴動させるデジタル鳴動開始部と、
前記発呼信号を受信した場合、当該発呼信号の受信タイミングを基準として、前記記憶部から読み出された前記第２の遅延時間だけ遅延させたタイミングで、前記アナログ電話を呼び出す第２の呼出信号を送信することによって、前記アナログ電話を鳴動させるアナログ鳴動開始部と
を有することを特徴とする構内交換機。
【請求項３】
前記第１の遅延時間および前記第２の遅延時間は、前記端末グループに属する各端末の仕様に応じて定まる遅延時間と、前記構内交換機から前記各端末までの伝送路の構成に応じて定まる遅延時間とに基づいて、前記各端末で個別に予め決定されることを特徴とする請求項１または２に記載された構内交換機。
【請求項４】
前記アナログ鳴動開始部は、前記発呼信号に含まれる発信者に係る情報を保持するとともに、前記第２の呼出信号を送信した後で前記情報を前記アナログ電話に送信することを特徴とする請求項１から３のいずれかに記載された構内交換機。
【請求項５】
前記発呼信号に含まれる発信者に係る情報を前記構内交換機に接続される表示装置に表示させる表示制御部をさらに有することを特徴とする請求項１から４のいずれかに記載された構内交換機。
【発明の詳細な説明】
【技術分野】
【０００１】
本発明は、デジタル通信網に接続される構内交換機に係り、特に、デジタル電話およびアナログ電話が混在する端末グループにおける鳴動機能に関する。
【背景技術】
【０００２】
例えば、特許文献１には、複数のデジタル電話をデジタル通信網に接続して、複数のデジタル電話からなる内線電話網を構築する装置として、ＩＰ−ＰＢＸ（Internet Protocol Private Branch eXchange）と呼ばれる構内交換機が開示されている。また、特許文献２には、アナログ電話をデジタル通信網に接続するＶｏＩＰ（Voice over Internet Protocol）ゲートウェイを有するＶｏＩＰシステムが開示されている。このＶｏＩＰシステムは、ＶｏＩＰゲートウェイおよびルータを介してアナログ電話をデジタル通信網に接続するとともに、ルータを介してデジタル電話をデジタル通信網に接続する。また、この特許文献２には、ＶｏＩＰゲートウェイの機能をルータ自身に実装する点が開示されている。
【先行技術文献】
【特許文献】
【０００３】
【特許文献１】特開２００９−２３２３０４号公報
【特許文献２】特開２００３−１６９１３４号公報
【発明の概要】
【発明が解決しようとする課題】
【０００４】
上述した特許文献１に開示されたＩＰ−ＰＢＸに特許文献２に開示されたＶｏＩＰゲートウェイの機能を実装すれば、デジタル電話およびアナログ電話が混在した端末グループからなる内線電話網の構築が可能になる。しかしながら、この場合には、この端末グループを一斉に鳴動させるグループ鳴動機能を利用しても、デジタル電話およびアナログ電話で鳴動タイミングにズレが生じる可能性がある。例えば、デジタル電話は、トラフィック依存性というデジタル通信固有の特性があり、伝送路の状況次第で通信速度が変化する。そのため、送受信すべき通信量が多い状況下では、デジタル回線とは別個のアナログ回線で直結されたアナログ電話の鳴動タイミングよりも遅れて、デジタル電話が鳴動することがある。
【０００５】
本発明の目的は、デジタル電話およびアナログ電話が混在する端末グループに属する各端末を適切なタイミングで鳴動させることである。
【課題を解決するための手段】
【０００６】
かかる課題を解決すべく、第１の発明は、記憶部と、デジタル鳴動開始部と、アナログ鳴動開始部とを有し、デジタル電話およびアナログ電話を含む端末グループをデジタル通信網に接続する構内交換機を提供することである。記憶部は、端末グループに対して予め設定すべき情報として、デジタル電話を呼び出すタイミングを規定する第１の遅延時間と、アナログ電話を呼び出すタイミングを規定する第２の遅延時間とを記憶する。デジタル鳴動開始部は、デジタル通信網を介して外部からの発呼信号を受信した場合、発呼信号の受信タイミングを基準として、記憶部から読み出された第１の遅延時間だけ遅延させたタイミングで、デジタル電話を呼び出す第１の呼出信号を送信することによって、デジタル電話を鳴動させる。アナログ鳴動開始部は、第１の呼出信号を受信したデジタル電話から送信される応答信号を受信した場合、応答信号の受信タイミングを基準として、記憶部から読み出された第２の遅延時間だけ遅延させたタイミングで、アナログ電話を呼び出す第２の呼出信号を送信することによって、アナログ電話を鳴動させる。
【０００７】
第２の発明は、記憶部と、デジタル鳴動開始部と、アナログ鳴動開始部とを有し、デジタル電話およびアナログ電話を含む端末グループをデジタル通信網に接続する構内交換機を提供することである。記憶部は、端末グループに対して予め設定すべき情報として、デジタル電話を呼び出すタイミングを規定する第１の遅延時間と、アナログ電話を呼び出すタイミングを規定するとともに、第１の遅延時間とは異なる第２の遅延時間とを記憶する。デジタル鳴動開始部は、デジタル通信網を介して外部からの発呼信号を受信した場合、発呼信号の受信タイミングを基準として、記憶部から読み出された第１の遅延時間だけ遅延させたタイミングで、デジタル電話を呼び出す第１の呼出信号を送信することによって、デジタル電話を鳴動させる。アナログ鳴動開始部は、発呼信号を受信した場合、発呼信号の受信タイミングを基準として、記憶部から読み出された第２の遅延時間だけ遅延させたタイミングで、アナログ電話を呼び出す第２の呼出信号を送信することによって、アナログ電話を鳴動させる。
【０００８】
ここで、本発明において、第１の遅延時間および第２の遅延時間は、端末グループに属する各端末の仕様に応じて定まる遅延時間と、構内交換機から各端末までの伝送路の構成に応じて定まる遅延時間とに基づいて、各端末で個別に予め決定されることが好ましい。また、アナログ鳴動開始部は、発呼信号に含まれる発信者に係る情報を保持するとともに、第２の呼出信号を送信した後で情報をアナログ電話に送信することが好ましい。さらに、発呼信号に含まれる発信者に係る情報を構内交換機に接続される表示装置に表示させる表示制御部を有することが好ましい。
【発明の効果】
【０００９】
本発明によれば、デジタル鳴動開始部は、基準となるタイミングから第１の遅延時間だけ遅延させたタイミングで、第１の呼出信号を送信することによって、デジタル電話を鳴動させる。また、アナログ鳴動開始部は、基準となるタイミングから第２の遅延時間だけ遅延させたタイミングで、第２の呼出信号を送信することによって、アナログ電話を鳴動させる。これによれば、第１の遅延時間および第２の遅延時間を規定して各端末で個別に鳴動タイミングを調整することができる。したがって、デジタル電話およびアナログ電話が混在する端末グループに属する各端末を適切なタイミングで鳴動させることができる。
【図面の簡単な説明】
【００１０】
【図１】第１の実施形態に係る内線電話網のブロック図
【図２】第１の実施形態に係るＩＰ−ＰＢＸのブロック図
【図３】第１の実施形態に係る記憶部に記憶された遅延時間のテーブル
【図４】第１の実施形態に係る内線電話網のタイミングチャート
【図５】第２の実施形態に係る内線電話網のブロック図
【発明を実施するための形態】
【００１１】
（第１の実施形態）
図１は、第１の実施形態に係る内線電話網のブロック図である。内線電話網１は、構内交換機としてのＩＰ−ＰＢＸ２と、デジタル電話としてのＩＰ（Internet Protocol）電話Ｄ１〜Ｄ３と、アナログ電話Ａ１，Ａ２とを有する。ＩＰ−ＰＢＸ２は、ＩＰ電話Ｄ１〜Ｄ３およびアナログ電話Ａ１，Ａ２が混在する端末グループＧをデジタル通信網に接続する。ＩＰ電話Ｄ１〜Ｄ３は、音声およびデジタル信号を双方向に変換することによって、音声通話を可能とする。アナログ電話Ａ１，Ａ２は、音声およびアナログ信号を双方向に変換することによって、音声通話を可能とする。ここで、ＩＰ電話Ｄ１〜Ｄ３およびアナログ電話Ａ１は、発信者番号などの情報を表示させるディスプレイを備えている。これに対して、アナログ電話Ａ２は、このようなディスプレイを備えていない。なお、図示したケースは一例であって、端末の種別、端末の個数、接続形態等については、実情に応じて任意に設定される。
【００１２】
また、内線電話網１は、ネットワークケーブルを介してＩＰ−ＰＢＸ２に接続される表示装置３と、ＩＰ−ＰＢＸ２およびＩＰ電話Ｄ２を接続するスイッチ４（以下、「ＳＷ４」という）と、ＩＰ−ＰＢＸ２およびＩＰ電話Ｄ３を接続するゲートウェイ５（以下、「ＧＷ５」という）とを有する。表示装置３は、外部から受信した情報を電子メールや、ウェブアプリケーションなどを介して自己が備えるディスプレイ上に表示する装置であり、例えば、ＰＣ（Personal Computer）や、携帯端末などを用いることができる。ＳＷ４は、ネットワーク間を接続する通信機器である。ＧＷ５は、プロトコルの異なるネットワークを接続する通信機器である。
【００１３】
図２は、ＩＰ−ＰＢＸ２のブロック図である。ＩＰ−ＰＢＸ２は、グループ鳴動機能を備えている。グループ鳴動機能とは、デジタル通信網を介して外部から端末グループＧを発呼する発呼信号を受信した場合に、端末グループＧに属する各端末を一斉に鳴動させる機能をいう。グループ鳴動機能自体は、従来のＩＰ−ＰＢＸも備えているが、本実施形態の特徴は、ＩＰ電話Ｄ１〜Ｄ３およびアナログ電話Ａ１，Ａ２が混在する端末グループＧにおいて、各端末の鳴動タイミングをより精度よく同期させる点にある。これを実現するための構成として、ＩＰ−ＰＢＸ２は、記憶部２１と、デジタル鳴動開始部２２と、アナログ鳴動開始部２３と、表示制御部２４とを有する。
【００１４】
記憶部２１には、端末グループＧに対して予め設定すべき情報（登録情報）として、デジタル電話Ｄ１〜Ｄ３を呼び出すタイミングを個別に規定する第１の遅延時間と、アナログ電話Ａ１，Ａ２を呼び出すタイミングを個別に規定する第２の遅延時間とが記憶される。なお、本実施形態では、第１の遅延時間および第２の遅延時間は、各端末で個別に決定・登録されているが、ＩＰ電話Ｄ１〜Ｄ３で１つの第１の遅延時間を決定・登録し、アナログ電話Ａ１，Ａ２で１つの第２の遅延時間に決定・登録してもよい。デジタル鳴動開始部２２は、記憶部２１から読み出された第１の遅延時間に基づいて、デジタル電話Ｄ１〜Ｄ３を呼び出す第１の呼出信号を個別に送信し、これによって、デジタル電話Ｄ１〜Ｄ３を鳴動させる。アナログ鳴動開始部２３は、記憶部２１から読み出された第２の遅延時間に基づいて、アナログ電話Ａ１，Ａ２を呼び出す第２の呼出信号を個別に送信し、これによって、アナログ電話Ａ１，Ａ２を鳴動させる。表示制御部２４は、発信者番号などの発呼信号に含まれる発信者に係る情報を表示装置３に表示させる。表示制御部２４によって表示制御される表示装置３を、例えば、アナログ電話Ａ２の近傍に配設した場合、アナログ電話Ａ２の使用者は、表示装置３を参照することによって、ディスプレイを備えている他の端末の使用者と同様の利益を享受することができる。
【００１５】
第１の遅延時間および第２の遅延時間は、端末グループＧに属する各端末の仕様に応じて定まる遅延時間と、ＩＰ−ＰＢＸ２から各端末までの伝送路の構成に応じて定まる遅延時間とに基づいて、各端末で個別に予め決定・登録される。以下、第１の遅延時間および第２の遅延時間を決定する方法の一例について説明する。
【００１６】
本実施形態では、各端末の仕様として、ＩＰ電話Ｄ１，Ｄ２は、新式の端末であり、ＩＰ電話Ｄ３は、ＩＰ電話Ｄ１，Ｄ２と比較して応答性能の低い旧式の端末であるものとする。一例として、第１の呼出信号を受信してからＩＰ電話Ｄ３が鳴動を開始するタイミングは、ＩＰ電話Ｄ１，Ｄ２のそれよりも３０ｍｓだけ遅延するものとする。また、伝送路の構成として、ＩＰ電話Ｄ１は、ＩＰ−ＰＢＸ２に直接的に接続されている。ＩＰ電話Ｄ２は、ＳＷ４を介してＩＰ−ＰＢＸ２に接続されている。ＩＰ電話Ｄ３は、ＧＷ５を介してＩＰ−ＰＢＸ２に接続されている。ＩＰ−ＰＢＸ２からＩＰ電話Ｄ１〜Ｄ３までの接続には、ネットワークケーブルが用いられる。ここで、ＩＰ−ＰＢＸ２による第１の呼出信号の送信から端末による第１の呼出信号の受信までの時間を端末の伝送時間とすれば、ＩＰ電話Ｄ２の伝送時間は、ＩＰ電話Ｄ１のそれと比較して１０ｍｓだけ長くなるものとする。ＩＰ電話Ｄ３の伝送時間は、ＩＰ電話Ｄ１のそれと比較して５０ｍｓだけ長くなるものとする。
【００１７】
このようなケースにおいて、ＩＰ電話Ｄ１〜Ｄ３のそれぞれにＩＰ−ＰＢＸ２から同時に第１の呼出信号が送信された場合には、最初にＩＰ電話Ｄ１が鳴動を開始する。次に、ＩＰ電話Ｄ１の鳴動タイミングを基準としてＩＰ電話Ｄ２が１０ｍｓだけ遅延して鳴動を開始する。そして、ＩＰ電話Ｄ１の鳴動タイミングを基準としてＩＰ電話Ｄ３が８０ｍｓだけ遅延して鳴動を開始する。ここで、ＩＰ電話Ｄ３における遅延時間の８０ｍｓは、ＩＰ電話Ｄ３の仕様に応じて定まる遅延時間３０ｍｓと、ＩＰ−ＰＢＸ２からＩＰ電話Ｄ３までの伝送路の構成に応じて定まる遅延時間５０ｍｓとの合計である。
【００１８】
また、各端末の仕様として、一般に、アナログ電話Ａ１，Ａ２は、ＩＰ電話Ｄ１〜Ｄ３よりも応答性能が高い。アナログ電話Ａ１，Ａ２は、ＩＰ電話Ｄ１〜Ｄ３と比較して機能的に簡素で、かつ、通信原理も単純だからである。また、アナログ電話Ａ１は、発信者番号を自己のディスプレイに表示させる発信者番号通知機能を有する。したがって、アナログ電話Ａ１については、この機能を有さないアナログ電話Ａ２とは異なり、発信者番号を送信する前に端末を起動する起動信号を送信する必要がある。この起動信号は、送信の開始から終了まで数秒の時間を要する。すなわち、アナログ電話Ａ１に対しては、ＩＰ−ＰＢＸ２は、起動信号を数秒の時間をかけて送信した後、発信者番号を送信し、さらに第２の呼出信号を送信することになる。また、伝送路の構成として、アナログ電話Ａ１，Ａ２は、電話線を介してＩＰ−ＰＢＸ２に直接的に接続されている。
【００１９】
本発明を適用していない場合において、発呼信号を受信すると、最初にアナログ電話Ａ２が鳴動を開始する。次に、ＩＰ電話Ｄ１〜Ｄ３が前述したタイミングで鳴動を開始する。そして、アナログ電話Ａ１が鳴動を開始する。以上のことから、アナログ電話Ａ１の鳴動タイミングに合わせて第１の遅延時間および第２の遅延時間を決定する必要がある。
【００２０】
図３は、記憶部２１に記憶された遅延時間のテーブルである。具体的には、第１の遅延時間のうち、ＩＰ電話Ｄ１の遅延時間ＴＤを最初に決定する。ＩＰ電話Ｄ１の遅延時間ＴＤは、アナログ電話Ａ１に起動信号を送信するのにかかる時間と、発信者番号を送信するのにかかる時間とを合計した時間よりも長くなるように決定する。次に、ＩＰ電話Ｄ１の鳴動タイミングに合わせてＩＰ電話Ｄ２，Ｄ３が鳴動を開始するように、ＩＰ電話Ｄ２の遅延時間をＴＤ−１０ｍｓに決定し、ＩＰ電話Ｄ３の遅延時間をＴＤ−８０ｍｓに決定する。そして、ＩＰ電話Ｄ１〜Ｄ３の鳴動タイミングに合わせてアナログ電話Ａ１，Ａ２が鳴動を開始するように、アナログ電話Ａ１，Ａ２の第２の遅延時間ＴＡを決定する。具体的には、第２の遅延時間ＴＡは、ＩＰ−ＰＢＸ２が応答信号を受信してからＩＰ電話Ｄ１〜Ｄ３が鳴動を開始するまでの時間と、ＩＰ−ＰＢＸ２が第２の呼出信号を送信してからアナログ電話Ａ１，Ａ２が鳴動を開始するまでの時間との差によって決定される。
【００２１】
図４は、内線電話網１のタイミングチャートである。本実施形態では、ＳＩＰ（Session Initiation Protocol）によってセッションを確立する場合を例に説明する。また、図４では、図面を簡略化するため、グループＧに属する各端末のうち、ＩＰ電話Ｄ１およびアナログ電話Ａ１のタイミングチャートのみを記載している。以下の図面においても同様である。発呼信号（ＩＮＶＩＴＥ  Ｆ５）を受信すると、ＩＰ−ＰＢＸ２は、起動信号（ＣＡＲ）を数秒の時間をかけてアナログ電話Ａ１に送信した後、発信者番号（ＣＩＤ）をアナログ電話Ａ１に送信する。アナログ電話Ａ１は、起動信号や、発信者番号を受信することによって応答信号をＩＰ−ＰＢＸ２に送信する（図示略）。また、表示制御部２４は、アナログ電話Ａ１にＣＩＤを送信するタイミングで表示装置３にＣＩＤを送信して表示させる（図示略）。
【００２２】
次に、デジタル鳴動開始部２２は、発呼信号の受信タイミングを基準として、記憶部２１から読み出された遅延時間ＴＤだけ遅延させたタイミングで、第１の呼出信号（ＩＮＶＩＴＥ  Ｆ７）をＩＰ電話Ｄ１に送信する。ＩＰ電話Ｄ１は、第１の呼出信号を受信することによってＩＰ−ＰＢＸ２に応答信号（１００  Ｔｒｙｉｎｇ  Ｆ８）を送信する。アナログ鳴動開始部２３は、応答信号の受信タイミングを基準として、記憶部２１から読み出された遅延時間ＴＡだけ遅延させたタイミングで、第２の呼出信号をアナログ電話Ａ１に送信する。なお、応答信号は、ＩＰ電話Ｄ１〜Ｄ３からそれぞれ送信されるが、２番目の応答信号を受信したタイミングを基準とすることが好ましい。これは、３つの応答信号を受信したタイミングの平均に相当するからである。
【００２３】
このように、本実施形態によれば、第１の遅延時間および第２の遅延時間を規定して各端末で個別に鳴動タイミングを調整することができる。したがって、グループＧに属する各端末を適切なタイミングで鳴動させることができる。また、アナログ鳴動開始部２３は、応答信号の受信タイミングを基準として、記憶部２１から読み出された第２の遅延時間ＴＡだけ遅延させたタイミングで、第２の呼出信号を送信することによって、アナログ電話Ａ１，Ａ２を鳴動させる。したがって、伝送路のトラフィックに応じてＩＰ電話Ｄ１〜Ｄ３の伝送時間が変化した場合であってもグループＧに属する各端末を適切なタイミングで鳴動させることができる。さらに、このような内線電話網１によれば、既存のアナログ電話をＩＰ−ＰＢＸ２に接続することができるので、旧資産を有効に活用することができる。また、アナログ電話は、デジタル電話と比較して安価であるので、新規のアナログ電話をＩＰ−ＰＢＸ２に接続する場合であってもコストの低減を図ることができる。
【００２４】
（第２の実施形態）
本実施形態の特徴は、ＩＰ電話Ｄ１〜Ｄ３から送信される応答信号の受信タイミングを基準とするのではなく、発呼信号の受信タイミングを基準とするようにアナログ鳴動開始部２３を構成する点にある。また、本実施形態の特徴は、発信者番号などの発呼信号に含まれる発信者に係る情報を保持するとともに、第２の呼出信号を送信した後で起動信号と、発呼信号に含まれる発信者に係る情報とをアナログ電話Ａ１に送信するようにアナログ鳴動開始部２３を構成する点にある。このような構成によれば、アナログ電話Ａ１の鳴動タイミングは、上述した第１の実施形態よりも早くなるので、第１の遅延時間を十分に短く決定することができる。なお、それ以外については、上述した第１の実施形態と同様なので、ここでの説明を省略する。
【００２５】
第２の遅延時間ＴＡは、ＩＰ電話Ｄ１〜Ｄ３の鳴動タイミングに合わせてアナログ電話Ａ１，Ａ２が鳴動を開始するように決定される。具体的には、ＩＰ−ＰＢＸ２が発呼信号を受信してからＩＰ電話Ｄ１〜Ｄ３が鳴動を開始するまでの時間と、ＩＰ−ＰＢＸ２が第２の呼出信号を送信してからアナログ電話Ａ１，Ａ２が鳴動を開始するまでの時間との差によって決定される。すなわち、第２の遅延時間ＴＡは、第１の遅延時間とは異なっている。
【００２６】
図５は、第２の実施形態に係る内線電話網のタイミングチャートである。発呼信号（ＩＮＶＩＴＥ  Ｆ５）を受信すると、デジタル鳴動開始部２２は、発呼信号を受信したタイミングを基準として、記憶部２１から読み出された遅延時間ＴＤだけ遅延させたタイミングで、第１の呼出信号（ＩＮＶＩＴＥ  Ｆ７）をＩＰ電話Ｄ１に送信する。また、アナログ鳴動開始部２３は、発呼信号を受信したタイミングを基準として、記憶部２１から読み出された遅延時間ＴＡだけ遅延させたタイミングで、第２の呼出信号をアナログ電話Ａ１に送信する。そして、アナログ鳴動開始部２３は、起動信号（ＣＡＲ）を数秒の時間をかけてアナログ電話Ａ１に送信した後、発信者番号（ＣＩＤ）をアナログ電話Ａ１に送信する。
【００２７】
このように、本実施形態によれば、上述した第１の実施形態と同様、グループＧに属する各端末を適切なタイミングで鳴動させることができる。また、アナログ鳴動開始部２３は、発呼信号を受信したタイミングを基準として、記憶部２１から読み出された第２の遅延時間ＴＡだけ遅延させたタイミングで、第２の呼出信号を送信することによって、アナログ電話Ａ１，Ａ２に鳴動を開始させるので、ＩＰ電話Ｄ１〜Ｄ３から送信される応答信号を待つ必要がなく、簡素な構成によってグループＧに属する各端末を適切なタイミングで鳴動させることができる。
【００２８】
なお、上述した実施形態では、第１の遅延時間および第２の遅延時間は、端末の仕様に応じて定まる遅延時間と、ＩＰ−ＰＢＸ２から端末までの伝送路の構成に応じて定まる遅延時間とに基づいて、各端末で個別に予め決定されていた。これに対して、第１の遅延時間および第２の遅延時間は、例えば、所定の信号を各端末に送信して遅延時間を測定することによって動的に決定してもよい。
【００２９】
また、上述した実施形態では、ＩＰ−ＰＢＸ２は、１つのグループＧをデジタル通信網に接続していたが、複数のグループを接続してもよい。この場合には、グループごとに第１の遅延時間および第２の遅延時間を決定すればよい。
【産業上の利用可能性】
【００３０】
以上のように、本発明は、デジタル通信網に接続される構内交換機に広く適用でき、特に、デジタル電話およびアナログ電話が混在する端末グループにおける鳴動機能に広く適用できる。
【符号の説明】
【００３１】
１  内線電話網
２  ＩＰ−ＰＢＸ（構内交換機）
３  表示装置
４  スイッチ（ＳＷ）
５  ゲートウェイ（ＧＷ）
２１  記憶部
２２  デジタル鳴動開始部
２３  アナログ鳴動開始部
２４  表示制御部
Ａ１，Ａ２  アナログ電話
Ｄ１〜Ｄ３  ＩＰ電話（デジタル電話）
【図１】
2012084989.tif 000003
【図２】
2012084989.tif 000004
【図３】
2012084989.tif 000005
【図４】
2012084989.tif 000006
【図５】
2012084989.tif 000007